(57)【要約】  情報記録媒体のデータ領域の最後のデータ記録アドレスを効果的に管理することが可能な情報記録媒体、記録／再生装置及び記録／再生方法が開示される。該情報記録媒体は、ユーザデータを記録するためのデータ領域が設けられ、データ領域のデータ記録状態を管理するための臨時記録管理情報と、媒体を管理するための臨時ディスク管理情報とを含み、臨時ディスク管理情報は、データ領域に記録されたデータの最後の記録位置についての情報と、最後の記録位置についての情報が、データ領域の実際の最後の記録位置と一致するか否かを示す情報とを含む。
2010541116.tif 000002
【特許請求の範囲】
【請求項１】
情報記録媒体において、
ユーザデータを記録するためのデータ領域が設けられ、
前記データ領域のデータ記録状態を管理するための臨時記録管理情報と、前記媒体を管理するための臨時ディスク管理情報とを含み、
前記臨時ディスク管理情報は、前記データ領域に記録されたデータの最後の記録位置についての情報と、前記最後の記録位置についての情報が、前記データ領域の実際の最後の記録位置と一致するか否かを示す情報とを含むことを特徴とする情報記録媒体。
【請求項２】
前記一致いかんを示す情報が第１値である場合には、前記最後の記録位置についての情報が、前記データ領域の実際の最後の記録位置と一致することを示し、前記一致いかんを示す情報が第２値である場合には、前記最後の記録位置についての情報が、前記データ領域の実際の最後の記録位置と一致しないことを示すことを特徴とする請求項１に記載の情報記録媒体。
【請求項３】
前記情報記録媒体が最終化されるとき、最終的な臨時ディスク管理情報の、前記最後の記録位置についての情報は、前記データ領域の実際の最後の記録位置についての情報に変更され、前記一致いかんを示す情報は、前記最後の記録位置についての情報が、前記データ領域の実際の最後の記録位置と一致することを示す情報に変更された最終的な臨時ディスク管理情報が、前記情報記録媒体のディスク管理領域に記録されることを特徴とする請求項１に記載の情報記録媒体。
【請求項４】
データ領域が設けられた情報記録媒体にデータを記録する装置において、
前記情報記録媒体にデータを記録する記録部と、
前記媒体を管理するための臨時ディスク管理情報が、前記データ領域に記録されたデータの最後の記録位置についての情報と、前記最後の記録位置についての情報が、前記データ領域の実際の最後の記録位置と一致するか否かを示す情報とを含むように生成し、前記生成された臨時ディスク管理情報を前記媒体に記録するように、前記記録部を制御する制御部を含むことを特徴とする記録装置。
【請求項５】
前記一致いかんを示す情報が第１値である場合には、前記最後の記録位置についての情報が、前記データ領域の実際の最後の記録位置と一致することを示し、前記一致いかんを示す情報が第２値である場合には、前記最後の記録位置についての情報が、前記データ領域の実際の最後の記録位置と一致しないことを示すことを特徴とする請求項４に記載の記録装置。
【請求項６】
前記制御部は、
前記情報記録媒体を最終化するとき、最終的な臨時ディスク管理情報の、前記最後の記録位置についての情報は、前記データ領域の実際の最後の記録位置についての情報に変更し、前記一致いかんを示す情報は、前記最後の記録位置についての情報は、前記データ領域の実際の最後の記録位置と一致することを示す情報に変更し、前記変更された最終的な臨時ディスク管理情報を前記情報記録媒体のディスク管理領域に記録するように、前記記録部をさらに制御することを特徴とする請求項４に記載の記録装置。
【請求項７】
データ領域が設けられた情報記録媒体からデータを再生する装置において、
前記情報記録媒体からデータを読み取る読取り部と、
前記データ領域に記録されたデータの最後の記録位置についての情報と、前記最後の記録位置についての情報が、前記データ領域の実際の最後の記録位置と一致するか否かを示す情報とを含む臨時ディスク管理情報を、前記情報記録媒体から読み取るように前記読取り部を制御し、前記読み取られた臨時ディスク管理情報から、前記データ領域の最後の記録位置を決定する制御部を含むことを特徴とする再生装置。
【請求項８】
前記制御部は、
前記一致いかんを示す情報が第１値である場合には、前記最後の記録位置についての情報が、前記データ領域の実際の最後の記録位置と一致すると決定し、前記一致いかんを示す情報が第２値である場合には、前記最後の記録位置についての情報が、前記データ領域の実際の最後の記録位置と一致しないと決定することを特徴とする請求項７に記載の再生装置。
【請求項９】
前記制御部は、
前記最後の記録位置についての情報が、前記データ領域の実際の最後の記録位置と一致しないと決定した場合に、前記最後の記録位置についての情報による最後の記録位置以後の媒体の領域を検索し、実際の最後の記録位置を探すことを特徴とする請求項８に記載の再生装置。
【請求項１０】
前記制御部は、
前記実際の最後の記録位置を探すために、前記最後の記録位置情報による最後の記録位置以後の媒体の領域から、最終的に記録された記録単位ブロックを読み取るように前記読取り部を制御し、前記読み取られた記録単位ブロック内に保存されたパッディング情報を参照し、実際の最後の記録位置を探すことを特徴とする請求項９に記載の再生装置。
【請求項１１】
データ領域が設けられた情報記録媒体にデータを記録する方法において、
前記媒体を管理するための臨時ディスク管理情報が、前記データ領域に記録されたデータの最後の記録位置についての情報と、前記最後の記録位置についての情報が、前記データ領域の実際の最後の記録位置と一致するか否かを示す情報とを含むように生成する段階と、
前記生成された臨時ディスク管理情報を前記媒体に記録する段階とを含むことを特徴とする記録方法。
【請求項１２】
前記一致いかんを示す情報が第１値である場合には、前記最後の記録位置についての情報が、前記データ領域の実際の最後の記録位置と一致することを示し、前記一致いかんを示す情報が第２値である場合には、前記最後の記録位置についての情報が、前記データ領域の実際の最後の記録位置と一致しないことを示すことを特徴とする請求項１１に記載の記録方法。
【請求項１３】
前記情報記録媒体を最終化するとき、最終的な臨時ディスク管理情報の、前記最後の記録位置についての情報は、前記データ領域の実際の最後の記録位置についての情報に変更し、前記一致いかんを示す情報は、前記最後の記録位置についての情報は、前記データ領域の実際の最後の記録位置と一致することを示す情報に変更する段階と、
前記変更された最終的な臨時ディスク管理情報を前記情報記録媒体のディスク管理領域に記録する段階とを含むことを特徴とする請求項１１に記載の記録方法。
【請求項１４】
データ領域が設けられた情報記録媒体からデータを再生する方法において、
前記データ領域に記録されたデータの最後の記録位置についての情報と、前記最後の記録位置についての情報が、前記データ領域の実際の最後の記録位置と一致するか否かを示す情報とを含む臨時ディスク管理情報を、前記情報記録媒体から読み取る段階と、
前記読み取られた臨時ディスク管理情報から、前記データ領域の最後の記録位置を決定する段階と、
前記データ領域の最後の記録された位置に基づいて、前記情報記録媒体からデータを再生する段階とを含むことを特徴とする再生方法。
【請求項１５】
前記決定段階は、
前記一致いかんを示す情報が第１値である場合には、前記最後の記録位置についての情報が、前記データ領域の実際の最後の記録位置と一致すると決定し、前記一致いかんを示す情報が第２値である場合には、前記最後の記録位置についての情報が、前記データ領域の実際の最後の記録位置と一致しないと決定する段階を含むことを特徴とする請求項１４に記載の再生方法。
【請求項１６】
前記最後の記録位置についての情報が、前記データ領域の実際の最後の記録位置と一致しないと決定した場合に、前記最後の記録位置についての情報による最後の記録位置以後の媒体の領域を検索し、実際の最後の記録位置を探す段階をさらに含むことを特徴とする請求項１５に記載の再生方法。
【請求項１７】
前記実際の最後の記録位置を探す段階は、
前記最後の記録位置情報による最後の記録位置以後の媒体の領域から、最終的に記録された記録単位ブロックを読み取る段階と、
前記読み取られた記録単位ブロック内に保存されたパッディング情報を参照し、実際の最後の記録位置を探す段階とを含むことを特徴とする請求項１５に記載の再生方法。
【発明の詳細な説明】
【技術分野】
【０００１】
本発明は、情報記録媒体に係り、さらに具体的には、データ領域の最後のデータ記録アドレスを効果的に管理することが可能な情報記録媒体、記録／再生装置及び記録／再生方法に関する。
【背景技術】
【０００２】
書き換え（rewritable）情報記録媒体とは異なり、追記型（write-once）情報記録媒体は、一度しか記録できないという媒体の特性によって、媒体上にデータが記録された最後の記録位置（ＬＲＡ：last  recorded  address）は、データの追加記録によって、続けて変更されることが一般的である。このようなＬＲＡは、データが記録された最後のアドレスであるために、ディスク型情報記録媒体のように、そのアドレスでもって、データの記録された最外周半径を知ることができ、再生時に、物理的なピックアップの動作範囲を予測することができ、論理的な側面では、一般的に追記型情報記録媒体において、ファイル・システム（file system）関連情報は、開始と終わりとの部分に記録されるために、前記ＬＲＡは、データ記録／再生において重要な意味を有する。
【０００３】
図１は、追記型情報記録媒体でのデータ記録と、それによるＬＲＡ記録形態とについて説明するための参考図である。図１を参照するに、追記型情報記録媒体１００は、リードイン領域１１０と、データ領域１２０と、リードアウト領域１３０とを含む。
【０００４】
例えば、ドライブ・システムが各レコーディング・オペレーションごとに、当該レコーディング・オペレーションで記録したデータの最後の記録位置を、媒体１００に記録するとする。レコーディング・オペレーションは、例えば、媒体がドライブシステムにローディングされて記録を行い、イジェクトされるまでの動作になりうる。それにより、第１レコーディング・オペレーションの間、データ領域１２０に記録されたデータの最後の記録位置であるＬＲＡ  １  １４０についての情報を、リードイン領域１１０の所定領域１７０に最初に記録し、次に、第２レコーディング・オペレーションの間、データ領域１２０に記録されたデータの最後の記録位置であるＬＲＡ  ２  １５０についての情報を所定領域１７０で、ＬＲＡ  １についての情報の次に記録し、第３レコーディング・オペレーションの間、データ領域１２０に記録されたデータの最後の記録位置であるＬＲＡ  ３  １６０についての情報を、所定領域１７０でＬＲＡ  ２についての情報の次に記録する。
【０００５】
このように、追記型情報記録媒体では、上書きを行えずに、一度だけ記録できるという特性のために、各レコーディング・オペレーションごとに、または所定の記録動作後ごとに、最後の記録位置を記録すれば、ＬＲＡを記録するための情報記録媒体の空間が急速に使い果たされて容量の浪費をもたらし、またドライブシステムでＬＲＡの記録のために、レコーディング・オペレーションごとに、または所定の記録動作後ごとに常に最後の記録位置を正確に把握せねばならない時間が消耗されるので、システム性能の効率も落とすことがありうる。
【発明の概要】
【発明が解決しようとする課題】
【０００６】
本発明は、前記のような問題点を解決し、情報記録媒体のデータ領域の最後のデータ記録アドレスを効果的に管理することが可能な情報記録媒体、記録／再生装置及び記録／再生方法を提供することを目的とする。
【課題を解決するための手段】
【０００７】
前記のような課題を解決するための本発明の１つの特徴は、情報記録媒体において、ユーザデータを記録するためのデータ領域が設けられ、前記データ領域のデータ記録状態を管理するための臨時記録管理情報と、前記媒体を管理するための臨時ディスク管理情報とを含み、前記臨時ディスク管理情報は、前記データ領域に記録されたデータの最後の記録位置についての情報と、前記最後の記録位置についての情報が前記データ領域の実際の最後の記録位置と一致するか否かを示す情報とを含むことである。
【０００８】
前記一致いかんを示す情報が第１値である場合には、前記最後の記録位置についての情報が、前記データ領域の実際の最後の記録位置と一致することを示し、前記一致いかんを示す情報が第２値である場合には、前記最後の記録位置についての情報が前記データ領域の実際の最後の記録位置と一致しないことを示すことが望ましい。
【０００９】
前記情報記録媒体が最終化されるとき、最終的な臨時ディスク管理情報の、前記最後の記録位置についての情報は、前記データ領域の実際の最後の記録位置についての情報に変更され、前記一致いかんを示す情報は、前記最後の記録位置についての情報が、前記データ領域の実際の最後の記録位置と一致することを示す情報に変更された最終的な臨時ディスク管理情報が、前記情報記録媒体のディスク管理領域に記録されることが望ましい。
【００１０】
本発明の他の特徴は、データ領域が設けられた情報記録媒体にデータを記録する装置において、前記情報記録媒体にデータを記録する記録部と、前記媒体を管理するための臨時ディスク管理情報が、前記データ領域に記録されたデータの最後の記録位置についての情報と、前記最後の記録位置についての情報が、前記データ領域の実際の最後の記録位置と一致するか否かを示す情報とを含むように生成し、前記生成された臨時ディスク管理情報を前記媒体に記録するように、前記記録部を制御する制御部とを含むことである。
【００１１】
本発明のさらに他の特徴は、データ領域が設けられた情報記録媒体からデータを再生する装置において、前記情報記録媒体からデータを読み取る読取り部と、前記データ領域に記録されたデータの最後の記録位置についての情報と、前記最後の記録位置についての情報が、前記データ領域の実際の最後の記録位置と一致するか否かを示す情報とを含む臨時ディスク管理情報を、前記情報記録媒体から読み取るように前記読取り部を制御し、前記読み取られた臨時ディスク管理情報から、前記データ領域の最後の記録位置を決定する制御部とを含むことである。
【００１２】
前記制御部は、前記一致いかんを示す情報が第１値である場合には、前記最後の記録位置についての情報が、前記データ領域の実際の最後の記録位置と一致すると決定し、前記一致いかんを示す情報が第２値である場合には、前記最後の記録位置についての情報が、前記データ領域の実際の最後の記録位置と一致しないと決定することが望ましい。
【００１３】
前記制御部は、前記最後の記録位置についての情報が、前記データ領域の実際の最後の記録位置と一致しないと決定した場合に、前記最後の記録位置についての情報による最後の記録位置以後の媒体の領域を検索し、実際の最後の記録位置を探すことが望ましい。
【００１４】
前記制御部は、前記実際の最後の記録位置を探すために、前記最後の記録位置情報による最後の記録位置以後の媒体の領域から、最終的に記録された記録単位ブロックを読み取るように前記読取り部を制御し、前記読み取られた記録単位ブロック内に保存されたパッディング情報を参照し、実際の最後の記録位置を探すことが望ましい。
【００１５】
本発明のさらに他の特徴は、データ領域が設けられた情報記録媒体にデータを記録する方法において、前記媒体を管理するための臨時ディスク管理情報が、前記データ領域に記録されたデータの最後の記録位置についての情報と、前記最後の記録位置についての情報が、前記データ領域の実際の最後の記録位置と一致するか否かを示す情報とを含むように生成する段階と、前記生成された臨時ディスク管理情報を前記媒体に記録する段階とを含むことである。
【００１６】
本発明のさらに他の特徴は、データ領域が設けられた情報記録媒体からデータを再生する方法において、前記データ領域に記録されたデータの最後の記録位置についての情報と、前記最後の記録位置についての情報が、前記データ領域の実際の最後の記録位置と一致するか否かを示す情報とを含む臨時ディスク管理情報を、前記情報記録媒体から読み取る段階と、前記読み取られた臨時ディスク管理情報から、前記データ領域の最後の記録位置を決定する段階と、前記データ領域の最後の記録位置に基づいて、前記情報記録媒体からデータを再生する段階とを含むことである。
【発明の効果】
【００１７】
本発明によれば、データ領域の最後の記録位置を情報記録媒体に記録するとき、一致いかんフラグを利用し、実際の最後の記録アドレスを探して記録したり、あるいは実際の最後の記録アドレスを探す必要なしに、一致いかんフラグをして、「実際の最後のアドレスと一致しないこと」を表示する情報を示させることによって、ドライブシステムの運用の便宜を図ることができる。
【図面の簡単な説明】
【００１８】
【図１】追記型情報記録媒体でのデータ記録と、それによるＬＲＡ記録形態とについて説明するための参考図である。
【図２】本発明によって、追記型情報記録媒体にデータ領域の最後の記録位置についての情報を記録するための概念について説明するための参考図である。
【図３】本発明によって、追記型情報記録媒体にデータ領域の最後の記録位置についての情報を記録するための具体的な例について説明するための参考図である。
【図４Ａ】図３に図示された媒体の記録状態による（ｎ−１）ｔｈ  ＴＤＤＳを示す図である。
【図４Ｂ】図３に図示された媒体の記録状態によるｍｔｈＴＲＲＩを示す図である。
【図５】図４に図示された記録媒体状態で、ユーザデータの記録追加と、ファイルシステム情報の記録追加とがなされた状態を示す図である。
【図６】図５に図示された状態を反映して生成されたｎｔｈ  ＴＤＤＳを示す図である。
【図７】図５及び図６に図示された記録媒体及びＴＤＤＳ状態で、ドライブシステムがデータ領域の最後の記録位置を探す方法について説明するための参考図である。
【図８】本発明による記録再生装置の概略的なブロック図である。
【図９】図８に図示された本発明による記録再生装置が具現されたドライブのブロック図である。
【図１０】本発明による記録方法の過程を示すフローチャートである。
【図１１】本発明による再生方法の過程を示すフローチャートである。
【発明を実施するための形態】
【００１９】
以下、添付された図面を参照しつつ、本発明について詳細に説明する。
【００２０】
図２は、本発明によって、追記型（write-once）情報記録媒体にデータ領域の最後の記録位置についての情報を記録するための概念について説明するための参考図である。図２を参照するに、追記型情報記録媒体２００は、リードイン領域２１０、データ領域２２０、リードアウト領域２３０を含む。
【００２１】
第Ｎレコーディング・オペレーションによって、データ領域２２０に記録されたデータ２２１の最後の記録位置は、ＬＲＡ（last  recorded  address）Ｎである。第Ｎレコーディング・オペレーションで記録されたデータの記録管理のために、ドライブシステムが臨時ディスク管理領域（ＴＤＭＡ）２４０に、Ｎ番目の臨時ディスク管理情報２５０を記録する場合、ドライブシステムは、Ｎ番目の臨時ディスク管理情報２５０をデータ領域の最後の記録位置についての情報２５１と、最後の記録位置についての情報がデータ領域の実際の最後の記録位置と一致するか否かを示す情報２５２とを含むように生成する。データ領域の最後の記録位置についての情報２５１は、ＬＲＡ  １についての情報を含み、最後の記録位置についての情報がデータ領域の実際の最後の記録位置と一致するか否かを示す情報２５２は、ドライブシステムの運用によって、一致することを示すＹＥＳ、または一致しないことを示すＮＯで表示されうる。
【００２２】
最後の記録位置についての情報が、データ領域の実際の最後の記録位置と一致するか否かを示す情報２５２を、ＹＥＳで表示するか、またはＮＯで表示するかは、ドライブシステムの運用によって選択できるが、例えば、図２で、第Ｎレコーディング・オペレーション終了後、次のレコーディング・オペレーションが予測されない場合に、ドライブシステムは、一致いかんを示す情報２５２をＹＥＳで表示し、臨時ディスク管理情報を記録でき、または第Ｎレコーディング・オペレーション終了後、次のレコーディング・オペレーションが直ちに予測される場合に、ドライブシステムは、一致いかんを示す情報２５２をＮＯで表示し、臨時ディスク管理情報を記録できる。このように、ドライブシステムが一致いかんを示す情報２５２をＮＯで表示し、臨時ディスク管理情報を記録しておけば、第Ｎ＋１レコーディング・オペレーションによって、データ記録２２２を遂行した後、データ領域２２０の実際の最後の記録位置ＬＲＡ  Ｎ＋１は、Ｎ番目の臨時ディスク管理情報２５０に記録されたデータ領域の最後の記録位置についての情報２５１（ＬＲＡ  Ｎで表示されている）と異なるが、一致いかんを示す情報２５２をＮＯで表示しておいたために、ドライブシステムは、第Ｎ＋１レコーディング・オペレーション終了後、必ずしもＮ＋１番目の臨時ディスク管理情報を記録する必要がなくなる。従って、Ｎ＋１番目の臨時ディスク管理情報を記録するために消耗される媒体の容量及び消耗される時間を節約できる。
【００２３】
図３は、本発明によって、追記型情報記録媒体にデータ領域の最後の記録位置についての情報を記録するための具体的な例について説明するための参考図である。図３を参照するに、追記型情報記録媒体３００は、リードイン領域３１０、データ領域３２０、リードアウト領域３３０を含む。
【００２４】
データ領域３２０は、複数個の記録領域（recording  range）、例えば、記録領域＃０  ３５０と記録領域＃１  ３６０とに分割し、それぞれの分割された領域でデータを連続的に記録する順次記録（sequential  recording）法によって情報記録媒体を使用するとき、それぞれの記録領域の開始アドレスと最後に記録されたアドレス（各記録領域でのＬＲＡ）とをあらかじめ決まったフォーマット、例えば、記録領域エントリ（recording  range  entry）によって管理される。
【００２５】
追記型情報記録媒体において、前記のような記録領域エントリを含む記録管理情報を臨時記録領域情報（ＴＲＲＩ：temporary  recording  range  information）としたとき、前記ＴＲＲＩは、欠陥管理や論理的な書き換え（overwrite）のように、ディスク運用に必要な臨時ディスク管理情報によって、その記録位置が管理される。臨時ディスク管理情報は、例えば、臨時ディスク定義構造（ＴＤＤＳ：temporary  disc  definition  structure）のようなフォーマットになりうる。言い換えれば、データ記録時に、各記録領域が最後の記録アドレスについての情報を含んでいるＴＲＲＩを記録し、ＴＲＲＩが記録された位置をＴＤＤＳに保存して記録を行い、再生時に、ＴＤＤＳを再生することによって、ＴＲＲＩが記録された位置情報からＴＲＲＩを再生する。
【００２６】
情報記録媒体３００のデータ領域全体での最後の記録アドレスは、さらに早い再生のために、ＴＤＤＳ内にも別途に設け、ＴＲＲＩを再生する必要なしに、ＴＤＤＳ内でＬＲＡ情報を得て、ファイルシステム関連情報を前記ＬＲＡから抽出し、さらに早い再生を行うことができる。例えば、媒体のデータ領域全体のＬＲＡは、アドレスが増加する場合、記録領域エントリのＬＲＡのうち、最も大きいＬＲＡとなる。
【００２７】
リードイン領域３１０の臨時ディスク管理領域（ＴＤＭＡ）３４０の最後には、最終的なＴＤＤＳである（ｎ−１）ｔｈ  ＴＤＤＳ  ４００が記録されており、データ領域３２０は、２つの記録領域（recording  range）に分けられている。記録領域＃０  ３５０は、Ａ０  ３５１から始まって、ＬＲＡ０  ３５２までデータが記録されており、記録領域＃１  ３６０には、Ａ１  ３６１から始まって、ＬＲＡ  １  ３６２まで記録されている。
【００２８】
かような媒体の記録状態による（ｎ−１）ｔｈ  ＴＤＤＳ  ４００とｍｔｈ  ＴＲＲＩは、図４Ａ及び図４Ｂに図示されている通りである。
【００２９】
図４Ａを参照するに、（ｎ−１）ｔｈ  ＴＤＤＳ  ４００は、ｍｔｈ  ＴＲＲＩポインタ４１０、ＬＲＡ情報４２０、一致いかんフラグ（consistency  flag）４３０を含み、一致いかんフラグ４３０は、０に設定されている。一致いかんフラグは、（ｎ−１）ｔｈ  ＴＤＤＳ  ４００のＬＲＡ情報４２０が実際の最後の記録位置と一致することを示す。
【００３０】
図４Ｂを参照するに、ｍｔｈ  ＴＲＲＩ  ４４０は、エントリ＃０  ４５０とエントリ＃１  ４６０とを含み、エントリ＃０  ４５０は、記録領域＃０の開始アドレスがＡ０であり、最後の記録アドレスがＬＲＡ０であることを示し、エントリ＃１  ４６０は、記録領域＃１の開始アドレスがＡ１であり、最後の記録アドレスがＬＲＡ  １であることを示す。このようなＴＲＲＩは、図面に図示していないが、例えば、ＴＤＤＳと共にＴＤＭＡに配列されうる。
【００３１】
本発明の他の特徴によって、一致いかんフラグ４３０は、（ｎ−１）ｔｈ  ＴＤＤＳ  ４００内のＬＲＡ情報４２０が、実際の最後の記録位置と一致することを示すだけではなく、ｍｔｈ  ＴＲＲＩ  ４４０の各エントリのＬＲＡ情報が、実際の各記録領域での最後の記録位置と一致することを示すことも可能である。例えば、（ｎ−１）ｔｈ  ＴＤＤＳ  ４００のＬＲＡ情報４２０や、ｍｔｈ  ＴＲＲＩ  ４４０のＬＲＡ情報のうち、いずれか一つでも、実際のＬＲＡと一致しなければ、一致いかんフラグ４３０をＮｏに設定するのである。
【００３２】
図５は、図４に図示された記録媒体状態で、ユーザデータの記録追加と、ファイルシステム情報の記録追加とがなされた状態を示す。図５を参照するに、記録領域＃０  ３５０のＬＲＡ０  ３５２以後、データＤの追加記録がなされ、記録領域＃０  ３５０の実際の最後の記録アドレスは、ＲＥＡＬ  ＬＲＡ  ０  ３５３になり、データの追加記録によって、ファイルシステム関連データＦが記録領域＃１  ３６０にアップデートされ、記録領域＃１  ３６０の実際の最後の記録アドレスは、ＲＥＡＬ  ＬＲＡ  １  ３６３になる。
【００３３】
記録領域＃０  ３５０のＬＲＡ０  ３５２以後、データＤの追加記録後、ファイルシステムデータの記録前に、ＴＲＲＩのアップデートなしに、ＴＤＭＡにｎｔｈ  ＴＤＤＳを記録する場合に、図６に図示されているようなｎｔｈ  ＴＤＤＳを生成して記録できる。
【００３４】
図６を参照するに、ｎｔｈ  ＴＤＤＳ  ６００のＴＲＲＩポインタ情報６１０は、ｍｔｈ  ＴＲＲＩポインタを指しており、ＬＲＡ情報６２０は、ＬＲＡ  １  ３６２を指し、一致いかんフラグ６３０は「１」に設定され、実際ＬＲＡと、ｎｔｈ  ＴＤＤＳ  ６００に入っているＬＲＡ情報、またはＴＲＲＩに入っているＬＲＡ情報は、一致しないことを表示できる。
【００３５】
このように、ｎｔｈ  ＴＤＤＳ  ６００を記録しておけば、記録領域＃１  ３６０にファイルシステムデータ  ３６０を記録し、データ領域の最終最後の記録アドレスがＲＥＡＬ  ＬＲＡ  １  ３６３に変更された場合にも、必ずしもｎ＋１ｔｈ  ＴＤＤＳを記録する必要はなくなる。これは、すでにｎｔｈ  ＴＤＤＳ  ６００の一致いかんフラグ６３０が一致しないことを示しているためである。
【００３６】
図７は、図５及び図６に図示された記録媒体及びＴＤＤＳ状態で、ドライブシステムがデータ領域の最後の記録位置を探す方法について説明するための参考図である。図７を参照するに、ドライブシステムは、ｎｔｈ  ＴＤＤＳ６００に記録されたＬＲＡ情報６２０を確認する。ＬＲＡ情報６２０がＬＲＡ  １  ３６２を示すので、ドライブシステムは、ＬＲＡ  １  ３６２以後に記録されたデータのうち、最後の記録単位ブロック７００を探す。そして、６４ＫＢからなる最後の記録単位ブロック７００が、５０ＫＢのユーザデータ７１０と、パッディングデータ７２０とから構成されているならば、ユーザデータ７１０が最後に記録された位置を、有効なデータが記録されたＬＲＡ  １として決定する。パッディングデータ７２０の位置や大きさは、パッディング情報を参照して分かり、パッディング情報は、記録単位ブロック内に含まれることもあり、外部に存在することも可能である。
【００３７】
また、かような追記型情報記録媒体を再生専用としてだけ使用しようとするために遂行する最終化時点では、ＴＤＭＡに記録されている最終的なＴＤＤＳが別途に設けられた欠陥管理領域（ＤＭＡ：defect  management  area）に移して記録されねばならないが、移して記録するとき、ＴＤＤＳのＬＲＡは、実際ＲＥＡＬ  ＬＲＡを示すように情報を変更せねばならないが、またＬＲＡのための一致いかんフラグは、「一致する」と表示して欠陥管理領域（ＤＭＡ）に移して保存されねばならない。欠陥管理領域は、図２、図３や図５の情報記録媒体には図示されていないが、リードイン領域やリードアウト領域に配列されうる。
【００３８】
図８は、本発明による記録再生装置の概略的なブロック図である。図８を参照するに、本実施形態による装置は、記録／読取り部９１０、制御部９２０及びメモリ部９３０を含む。本発明の他の特徴によって、記録／再生装置は、追加的な、または異なるユニットをさらに含むことができる。同様に、前記ユニットの機能は、単一コンポーネントに統合されもする。
【００３９】
記録／読取り部９１０は、制御部９２０の制御によって、本実施形態による情報記録媒体の追記型媒体２００にデータを記録し、記録されたデータを読み取る。
【００４０】
制御部９２０は、追記型媒体２００にデータを記録／読み取りを行うように、記録／読取り部９１０を制御し、記録時には、媒体２００の最後の記録アドレスについての情報及び一致いかんを示す情報を含む臨時ディスク管理情報を生成し、これを記録するように制御し、また再生時には、媒体２００から臨時ディスク管理情報を読み取り、媒体２００の最後の記録アドレスを決定する。記録側面の装置と再生側面の装置は、別個の装置として具現され、図８に図示されているように、１つのシステムとして具現されもする。
【００４１】
図９は、図８に図示された本発明による記録再生装置が具現されたドライブのブロック図である。図９を参照するに、ドライブは、記録／読取り部９１０としてピックアップを具備する。追記型媒体２００は、ピックアップに装着されている。また、ドライブは、制御部９２０として、ホストＩ／Ｆ（interface）９２１、ＤＳＰ９２２、ＲＦ  ＡＭＰ９２３、ＳＥＲＶＯ９２４及びシステムコントローラ（SYSTEM  CONTROLLER）９２５を具備する。
【００４２】
記録時、ホストＩ／Ｆ  ９２１は、ホスト（図示せず）から記録するデータと共に、記録命令を受ける。SYSTEM  CONTROLLER９２５は、記録に必要な初期化を行う。ＤＳＰ  ９２２は、記録するデータをエラー訂正のためにパリティなどの付加データを添加し、ＥＣＣエンコーディングを行った後、エンコーディングされたデータをあらかじめ決まった方式によって変調する。ＲＦ  ＡＭＰ９２３は、ＤＳＰ９２２から出力されたデータをＲＦ信号に変える。ピックアップ９１０は、ＲＦ  ＡＭＰ９２３から出力されたＲＦ信号を追記型媒体２００に記録する。ＳＥＲＶＯ
９２４は、SYSTEM  CONTROLLER９２５からサーボ制御に必要な命令を入力され、ピックアップ９１０をサーボ制御する。また、SYSTEM  CONTROLLER９２５は、記録時に、本発明による欠陥管理を行うために、ピックアップ９１０で、記録されたデータを読み取ることを命令したり、臨時管理情報など所定情報を記録することを命令する。
【００４３】
特に、本発明によるSYSTEM  CONTROLLER９２５は、前記媒体２００を管理するための臨時ディスク管理情報として、前記データ領域に記録されたデータの最後の記録位置についての情報と、前記最後の記録位置についての情報が、前記データ領域の実際の最後の記録位置と一致するか否かを示す情報とを含むように、臨時ディスク管理情報を生成し、前記生成された臨時ディスク管理情報を前記媒体２００に記録するように、ピックアップ９１０を制御する。前記一致いかんを示す情報が第１値である場合には、前記最後の記録位置についての情報が、前記データ領域の実際の最後の記録位置と一致することを示し、前記一致いかんを示す情報が第２値である場合には、前記最後の記録位置についての情報が、前記データ領域の実際の最後の記録位置と一致しないことを示すことができる。
【００４４】
また、SYSTEM  CONTROLLER９２５は、前記情報記録媒体２００を最終化するとき、最終的な臨時ディスク管理情報の、前記最後の記録位置についての情報は、前記データ領域の実際の最後の記録位置についての情報に変更し、前記一致いかんを示す情報は、前記最後の記録位置についての情報は、前記データ領域の実際の最後の記録位置と一致することを示す情報に変更し、前記変更された最終的な臨時ディスク管理情報を、前記情報記録媒体２００のディスク管理領域に記録するように、ピックアップ９１０を制御する。
【００４５】
再生時、ホストＰＣ  Ｉ／Ｆ９２１は、ホスト（図示せず）から再生命令を受ける。SYSTEM  CONTROLLER９２５は、再生に必要な初期化を行う。ピックアップ９１０は、追記型媒体２００にレーザビームを照射し、追記型媒体２００から反射されたレーザビームを受光して得られた光信号を出力する。ＲＦ  ＡＭＰ９２３は、ピックアップ９１０から出力された光信号をＲＦ信号に変え、ＲＦ信号から得られた変調されたデータをＤＳＰ９２２に提供する一方、ＲＦ信号から得られた制御のためのサーボ信号をＳＥＲＶＯ  ９２４に提供する。ＤＳＰ  ９２２は、変調されたデータを復調し、ＥＣＣエラー訂正を経て得られたデータを出力する。一方、ＳＥＲＶＯ９２４は、ＲＦ  ＡＭＰ９２３から受けたサーボ信号と、SYSTEM  CONTROLLER９２５から受けたサーボ制御に必要な命令とを受け、ピックアップ９１０に対するサーボ制御を行う。ホストＩ／Ｆ  ９２１は、ＤＳＰ  ９２２から受けたデータをホストに送る。
【００４６】
特に、本発明によるSYSTEM  CONTROLLER９２５は、媒体２００のデータ領域に記録されたデータの最後の記録位置についての情報と、前記最後の記録位置についての情報が、前記データ領域の実際の最後の記録位置と一致するか否かを示す情報とを含む臨時ディスク管理情報を、前記情報記録媒体２００から読み取るようにピックアップ９１０を制御し、読み取られた臨時ディスク管理情報から、前記データ領域の最後の記録位置を決定する。このとき、SYSTEM  CONTROLLER９２５は、前記一致いかんを示す情報が第１値である場合には、前記最後の記録位置についての情報が、前記データ領域の実際の最後の記録位置と一致すると決定し、前記一致いかんを示す情報が第２値である場合には、前記最後の記録位置についての情報が、前記データ領域の実際の最後の記録位置と一致しないと決定する。
【００４７】
またSYSTEM  CONTROLLER９２５は、最後の記録位置についての情報が、前記データ領域の実際の最後の記録位置と一致しないと決定した場合に、前記最後の記録位置についての情報による最後の記録位置以後の媒体の領域を検索し、実際の最後の記録位置を探す。そして、SYSTEM  CONTROLLER９２５は、実際の最後の記録位置を探すために、前記最後の記録位置情報による最後の記録位置以後の媒体２００の領域から、最終的に記録された記録単位ブロックを読み取るようにピックアップ９１０を制御し、前記読み取られた記録単位ブロック内に保存されたパッディング情報を参照し、実際の最後の記録位置を探す。
【００４８】
図１０は、本発明による記録方法の過程を示すフローチャートである。図１０を参照するに、データ領域を含む情報記録媒体を管理するための臨時ディスク管理情報が、前記データ領域に記録されたデータの最後の記録位置についての情報と、前記最後の記録位置についての情報が、前記データ領域の実際の最後の記録位置と一致するか否かを示す情報とを含むように生成する（１０１０）。前記一致いかんを示す情報が第１値である場合には、前記最後の記録位置についての情報が、前記データ領域の実際の最後の記録位置と一致することを示し、前記一致いかんを示す情報が第２値である場合には、前記最後の記録位置についての情報が、前記データ領域の実際の最後の記録位置と一致しないことを示す。
【００４９】
生成された臨時ディスク管理情報を、前記情報記録媒体に記録する（１０２０）。
【００５０】
図１１は、本発明による再生方法の過程を示すフローチャートである。図１１を参照するに、情報記録媒体のデータ領域に記録されたデータの最後の記録位置についての情報と、前記最後の記録位置についての情報が、前記データ領域の実際の最後の記録位置と一致するか否かを示す情報とを含む臨時ディスク管理情報を前記情報記録媒体から読み取る（１１１０）。一致いかんを示す情報が第１値である場合には、前記最後の記録位置についての情報が、前記データ領域の実際の最後の記録位置と一致すると決定し、前記一致いかんを示す情報が第２値である場合には、前記最後の記録位置についての情報が、前記データ領域の実際の最後の記録位置と一致しないと決定する。
【００５１】
前記読み取られた臨時ディスク管理情報から、前記データ領域の最後の記録位置を決定する（１１２０）。
【００５２】
以上で説明したような記録再生方法はまた、コンピュータで読み取り可能な記録媒体にコンピュータで読み取り可能なコードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（read-only  memory）、ＲＡＭ（random-access  memory）、ＣＤ−ＲＯＭ、磁気テープ、フロッピー（登録商標）ディスク、光データ保存装置などがあって、またキャリアウェーブ（例えば、インターネットを介した伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。そして、前記記録再生方法を具現するための機能的な（function）プログラム、コード及びコードセグメントは、本発明が属する技術分野のプログラマらによって、容易に推論されうる。
【００５３】
以上、本発明についてその望ましい実施形態を中心に説明した。本発明が属する技術分野で当業者は、本発明が本発明の本質的な特性から外れない範囲で変形された形態で具現されうることを理解することができるであろう。従って、開示された実施形態は、限定的な観点でははなくして、説明的な観点から考慮されねばならない。本発明の範囲は、前述の説明ではなくして、特許請求の範囲に示されており、それと同等な範囲内にあるあらゆる差異点は、本発明に含まれるものであると解釈されねばならない。
【図１】
2010541116.tif 000003
【図２】
2010541116.tif 000004
【図３】
2010541116.tif 000005
【図４Ａ】
2010541116.tif 000006
【図４Ｂ】
2010541116.tif 000007
【図５】
2010541116.tif 000008
【図６】
2010541116.tif 000009
【図７】
2010541116.tif 000010
【図８】
2010541116.tif 000011
【図９】
2010541116.tif 000012
【図１０】
2010541116.tif 000013
【図１１】
2010541116.tif 000014
【国際調査報告】
2010541116.tif 000015
2010541116.tif 000016